(57)【要約】【課題】鉄筋コンクリート有孔梁の配筋において、コンクリート型枠内の鉄筋に当該孔（ボイド）を容易に形成するのに最適なスリーブ、及び該スリーブの設置方法を提供する。【解決手段】すのこ状の胴部２と、略円形に巻いた該胴部２の横断面の外周部と同形の外周部形状を有する基板部３ａの上に円板部３ｂを突出させて有する両端部の蓋体３とを組み合わせて、略円柱状のスリーブ１を形成した。  また、前記スリーブ１をコンクリート型枠ｄ内に設置する方法として、前記両端部の蓋体３を予め鉄筋に取り付けてコンクリート型枠ｄ内に配置し、しかる後にすのこ状の平板状体２´を前記蓋体３の円板部３ｂに巻き付けて前記胴部２を作成し、スリーブ１がコンクリート型枠ｄ内に形成されるようにした。【選択図】図１
2007132050.tif 000002
【特許請求の範囲】
【請求項１】
すのこ状の胴部と両端部の蓋体とを組み合わせて略円柱状に形成されている鉄筋コンク
リート有孔梁のスリーブ。
【請求項２】
前記胴部は、断面が台形状の複数個の板材を、該板材の側辺部において連結手段を用い
て順次繋ぎ合わせて、該繋ぎ合わせ部において可撓性を有するすのこ状に形成されている
請求項１に記載の鉄筋コンクリート有孔梁のスリーブ。
【請求項３】
前記胴部を形成する板材の数を少なくとも８枚とし、少なくとも８角形断面の略円柱状
のスリーブに形成されている請求項１または請求項２に記載の鉄筋コンクリート有孔梁の
スリーブ。
【請求項４】
前記両端部の各蓋体は、略円形に巻いた前記胴部の横断面の外周部と同形状の外周部形
状を有する基板部の上に前記胴部の内径部に丁度嵌合する外径を有する円板部を突出させ
て形成した請求項１に記載の鉄筋コンクリート有孔梁のスリーブ。
【請求項５】
すのこ状の胴部と、該胴部を略円形に巻いた該胴部の横断面の外周部と同形状の外周部
形状を有する基板部の上に前記胴部の内径部に丁度嵌合する外径の円板部を突出させて形
成した両端部の蓋体とを組み合わせて、略円柱状に形成した鉄筋コンクリート有孔梁のス
リーブの設置方法において、前記両端部の蓋体を予め鉄筋に取り付けてコンクリート型枠
内に配置し、しかる後にすのこ状の平板状体を前記蓋体の円板部に巻き付けて前記胴部を
形成して、略円柱状のスリーブに形成するようにした鉄筋コンクリート有孔梁のスリーブ
の設置方法。
【発明の詳細な説明】
【技術分野】
【０００１】
本発明は鉄筋コンクリート有孔梁の配筋において、当該有孔梁の孔（ボイド）を形成す
るために使用するスリーブに関する。
【背景技術】
【０００２】
鉄筋コンクリート有孔梁の配筋において、当該孔の周囲を補強するために、補強金具が
用いられている。
【０００３】
補強金具の一例を図７に示した。
【０００４】
即ち、補強金具ａは鉄筋コンクリート用棒鋼等からなり、当該孔位置の前後にあるあば
ら筋等に取り付けて固定されており、該補強金具ａ内に当該孔を形成するためのスリーブ
Ｂを支承している。
【０００５】
しかして該スリーブＢには、従来は紙製筒、塩ビパイプ、鉄パイプ等が使われていた。
また、円筒状のスリーブを軸芯に沿った複数個のセグメントに分割可能に形成するととも
に、各セグメントの該分割部の外方または内方にフランジ部を突設し、隣り合うセグメン
ト同士を該フランジ部にて結着可能に形成した例がある（例えば特許文献１参照。）。
【特許文献１】特開平８−２８５１４４号公報
【発明の開示】
【発明が解決しようとする課題】
【０００６】
鉄筋コンクリート有孔梁の配筋において、図８に示すごとく、梁のコンクリート型枠Ｃ
内に鉄筋ｄを配置してからスリーブＢを該鉄筋ｄ内に挿入して設置するようにしていた。
しかし該スリーブＢの端部等が前記鉄筋ｄに組み込まれている補強金具やコンクリート型
枠Ｃと干渉をするために、当該スリーブＢを所定の位置に設置するのに困難を生ずる場合
があるという問題があった。
【０００７】
また、コンクリート型枠Ｃの外で予め鉄筋ｄを組み立てて、該鉄筋ｄに予めスリーブＢ
を取り付けてから、該鉄筋ｄをコンクリート型枠Ｃ内に落とし込む方法は、組み込まれた
スリーブＢの両端部とコンクリート型枠Ｃとが干渉して、該鉄筋ｄをコンクリート型枠Ｃ
内に落とし込むのに困難を生ずる場合があるという問題があった。
【０００８】
本発明はこれらの問題点を解消し、コンクリート型枠内の鉄筋に容易に設置が可能な鉄
筋コンクリート有孔梁のスリーブ及びスリーブの設置方法を提供することを目的とする。
【課題を解決するための手段】
【０００９】
本発明は前記の目的を達成すべく、鉄筋コンクリート有孔梁のスリーブを、すのこ状の
胴部と両端部の蓋体とを組み合わせて、略円柱状に形成するようにした。
【００１０】
また、前記蓋体は、略円形に巻いた前記胴部の横断面の外周部と同形の外周部形状を有
する基板部の上に前記胴部の内径部に丁度嵌合する外径の円板部を突出させて有しており
、これら両端部の蓋体を予め鉄筋に取り付けてコンクリート型枠内に配置し、しかる後に
すのこ状の平板状体を前期蓋体の円板部に巻き付けて前記胴部を形成して、略円柱状のス
リーブをコンクリート型枠内に形成する鉄筋コンクリート有孔梁のスリーブの設置方法を
提案した。
【発明の効果】
【００１１】
本発明によれば、鉄筋コンクリート有孔梁の配筋において、コンクリート型枠内に鉄筋
を配置した後に当該孔（ボイド）を形成するためのスリーブを容易に設置することができ
るので、配筋作業が容易となり、作業時間が短縮される効果を有する。
【発明を実施するための最良の形態】
【００１２】
本発明を実施するための最良の形態の実施例を示す。
【実施例１】
【００１３】
本発明の鉄筋コンクリート有孔梁のスリーブ及びその設置方法を図１乃至図６により説
明する。
【００１４】
図１は本実施例のスリーブ１の側面図であり、また図２は該スリーブ１の図１における
Ｘ−Ｘ線截断面図である。
【００１５】
スリーブ１は９角形の角柱状で、胴部２と両端部の蓋体３、３とからなり、いずれも木
製の板材から形成されている。
【００１６】
前記胴部２は、台形断面を有する細長の９枚の板材２ａを、針金等の可撓性を有する連
結手段２ｂを用いて、各板材２ａの側辺部において順次繋ぎ合わせて図３に示す如きすの
こ状の平板状体２´とし、これを各板材２ａの繋ぎ合せ部において屈曲させて、９角形の
角柱状（略円柱状）に形成したものである。
【００１７】
前記蓋体３の平面図及び側面図を、それぞれ図４及び図５に示した。
【００１８】
蓋体３は、略円形に巻いた前記胴部２の横断面の外周部と同形状の９角形の外周部形状
を有する基板部３ａの上に、前記胴部２の内径部に丁度嵌合する外径を有する円板部３ｂ
を突出させて、該蓋体３の中央部における断面形状が凸状となるように形成されている。
【００１９】
次に本実施例のスリーブ１の用途及び使用方法について説明する。
【００２０】
鉄筋コンクリート有孔梁の建設においては、当該孔（ボイド）を形成するために、円柱
状のスリーブをコンクリート型枠内の鉄筋に設置し、その上からコンクリートの打設を行
う。
【００２１】
スリーブ１をコンクリート型枠内に設置する場合は、図６に示す如く、まずコンクリー
ト型枠（図示せず）内に鉄筋ｄの配筋をおこなう。
【００２２】
即ち、図６において、鉄筋ｄはあばら筋Ａ、鉄筋コンクリート有孔梁の補強金具ａ、前
記補強金具ａの取付具ｂ、前記補強金具ａから突設されている２本の連結杆ａ１、ａ１、
及び前記あばら筋Ａと前記取付具ｂとを結着して係止する係止部材ｂ１、及び蓋体３を上
方から押圧するための押圧部材ｂ２等からなる。
【００２３】
このような鉄筋ｄを、当該梁の孔位置の両端部に所定の距離を隔てて向かい合って配置
し、左右一対の蓋体３、３が、各々下方の２本の連結杆ａ１と上方の押圧部材ｂ２によっ
て３点支持されて、向かい合って保持されるようにする。
【００２４】
次いで、前記各蓋体３から互いに向かい合って突出している円板部３ｂ、３ｂにすのこ
状の平板状体２´を巻き付けて、該平板状体２´の巻き始め部と巻き終わり部とを針金等
で結着し、多角形の略円柱状の胴部２を形成した。
【００２５】
即ち、孔位置の両端部に配置された前記鉄筋ｄ、ｄの間には、他に鉄筋がないので、前
記平板状体２´の巻き付け作業は容易に行える。
【００２６】
かくてスリーブ１の設置時に鉄筋各部の干渉を受けることがないので、容易にコンクリ
ート型枠内の鉄筋ｄに該スリーブ１を設置することができる。
【００２７】
尚、前記平板状体２´を形成する板材２ａは台形断面を有しており、該台形の上辺側が
前記胴部２の内周側となるように配置をしている。
【００２８】
このように前記平板状体２´を形成する板材２ａが台形断面を有する効果として、前記
平板状体２´を筒状に曲げるときに抵抗が少なく、これを多角形の筒状に曲げて略円柱状
の胴部２を形成することが容易である。
【００２９】
また、前記両端部の蓋体３、３は、基板部３ａの外周部形状を略円形に巻いた胴部２の
横断面の外周部と同形状に形成したので、これらを組み合わせて一体のスリーブ１とした
ときに、外周部の稜線の揃った多角形とすることができる。
【００３０】
尚、前記スリーブ１はコンクリート型枠内にコンクリートを打設した後に、コンクリー
ト型枠とともに該スリーブ１も撤去される。  
【００３１】
本実施例では、すだれ状の胴部２を形成する板材２ａの数を９枚としたが、これはスリ
ーブ２の外径の大きさに応じて板材の枚数を増減すればよい。
【産業上の利用可能性】
【００３２】
本発明は、建設工事等における鉄筋コンクリート有孔梁の配筋に利用される。
【図面の簡単な説明】
【００３３】
【図１】実施例１のスリーブの側面図である。
【図２】前記スリーブの図１におけるＸ−Ｘ線截断面図である。
【図３】前記スリーブの一部素材・平板状体の斜視図である。
【図４】前記スリーブの一部・蓋体の平面図である。
【図５】前記スリーブの一部・蓋体の側面図である。
【図６】前記スリーブの設置方法の説明図である。
【図７】補強金具の一例の平面図である。
【図８】鉄筋コンクリート有孔梁の配筋の一例の説明図である。
【符号の説明】
【００３４】
１          スリーブ
２          胴部
２´        平板状体  
２ａ        板材
２ｂ        連結体
３          蓋体    
３ａ        基板部
３ｂ        円板部
【図１】
2007132050.tif 000003
【図２】
2007132050.tif 000004
【図３】
2007132050.tif 000005
【図４】
2007132050.tif 000006
【図５】
2007132050.tif 000007
【図６】
2007132050.tif 000008
【図７】
2007132050.tif 000009
【図８】
2007132050.tif 000010